(57)【特許請求の範囲】
【請求項１】
建物の開口部に設けられた上枠、下枠および左右の縦枠を方形状に枠組みした窓枠と、
前記窓枠の室外側に取り付けられるシャッター上枠、シャッター下枠および左右のシャッター縦枠を方形状に枠組みしたシャッター枠と、
前記シャッター枠の上部にシャッターボックスを設け、該シャッターボックスの内部に回転自在に設けられたドラムに連結されると共に、前記シャッター縦枠に支持されて前記シャッター枠に昇降自在なシャッターカーテンとを備えたシャッター付き窓において、
前記シャッター縦枠は、前記窓枠の縦枠に取り付けられる取付板、及び、前記取付板の両端に一体に設けられた一対の側板を有し、一方側が開口された略コ字状のシャッター縦枠本体と、
前記シャッター縦枠本体の一方側の開口部を塞ぐように該シャッター縦枠本体に取り付けられ、前記シャッターカーテンの昇降を支持するガイドレールと、を備え、
前記ガイドレールは、前記シャッター縦枠本体の前記一方の側板と嵌合され、前記他方の側板にねじが螺合されて締め付けられて、前記シャッター縦枠本体の両側板の前端部に固定され、
前記シャッター縦枠本体は、前記取付板が前記開口側から室内側に向かって螺合されるねじにより前記窓枠の縦枠に取り付けられており、
前記窓枠の縦枠に取り付けられた前記シャッター縦枠本体の前記一対の側板間の前記開口側には、当該一対の側板間に架け渡されて前記一対の側板を連結することにより前記シャッター縦枠本体の変形を規制する補強部材が取り付けられていることを特徴とするシャッター付き窓。
【請求項２】
前記補強部材は、その一端部に設けられた嵌合片が前記シャッター縦枠本体の一方の側板に設けられた嵌合部に嵌合され、他端部に設けられた取付片が前記シャッター縦枠本体の他方の側板に取付手段により取り付けられていることを特徴とする請求項１に記載のシャッター付き窓。
【請求項３】
前記補強部材は、その両端部に設けられた取付片が前記シャッター縦枠本体の一方の側板及び他方の側板にそれぞれ取付手段により取り付けられていることを特徴とする請求項１に記載のシャッター付き窓。
【請求項４】
前記取付手段は、ねじ、リベット、又は圧入であることを特徴とする請求項２又は３に記載のシャッター付き窓。
【発明の詳細な説明】
【技術分野】
【０００１】
本発明は、集合住宅、オフィスビル等の開口部に利用されるシャッター付き窓に関する。
【背景技術】
【０００２】
集合住宅、オフィスビル等の開口部に利用されるシャッター付き窓の一例として、図５に示すように、窓枠６９にシャッター枠５２をねじ７０により固定し、このシャッター枠５２のシャッター縦枠５３によってシャッターカーテン８０を昇降自在に支持するように構成したシャッター付き窓５１が知られている。
【０００３】
このような構成のシャッター付き窓５１では、シャッター枠５２のシャッター縦枠５３は、窓枠６９にねじ７０により固定されるシャッター縦枠本体５４と、シャッター縦枠本体５４に取り付けられるガイドレール６０とからなり、ガイドレール６０によってシャッターカーテン８０の縁部を昇降自在に支持している。
【０００４】
この場合、シャッター縦枠本体５４は、このシャッター縦枠本体５４を窓枠６９に固定するねじ７０を取り付けるため、取付板５５の両端に一対の側板５６、５７を設けて両側板５６、５７の外側を開口させた構成とし、この開口部５８からねじ７０により取付板５５を窓枠６９に固定している。そして、このままでは開口部５８からねじ７０が露出して美観を損ねるため、開口部５８を塞ぐようにガイドレール６０を取り付けている。
【０００５】
ガイドレール６０は、表板６１と、裏板６２と、表板６１の一端部と裏板６２の一端部との間に形成される開口部６３と、表板６１の他端と裏板６２の他端との間を連結する側板６４とによって構成し、裏板６２の外面に設けた嵌合部６５内にシャッター縦枠本体５４の第１側板５６の先端部を嵌合させ、裏板６２の外面に設けた取付板６６をシャッター縦枠本体５４の第２側板５７の他端部にねじ６７により固定することにより、シャッター縦枠本体５４に取り付けている（例えば、特許文献１参照。）。
【特許文献１】特開平９−３０３０６７号公報
【発明の開示】
【発明が解決しようとする課題】
【０００６】
ところで、上記のような構成のシャッター付き窓５１にあっては、シャッターカーテン８０に風等により大きな負圧等が作用してシャッターカーテン８０が前方（図５の上方）へせり出すように変形した場合に、シャッターカーテン８０に追従してシャッター枠５２が変形しようとする。その際、シャッター枠５２のシャッター縦枠本体５４とガイドレール６０とは、シャッター縦枠本体５４の第２側板５７にガイドレール６０の取付板６６がねじ６７により連結され、シャッター縦枠本体５４の第１側板５６の先端部がガイドレール６０の嵌合部６５に嵌合されているだけなので、シャッター縦枠本体５４の第１側板５６の先端部からガイドレール６０の嵌合部６５が外れ、ガイドレール６０によってシャッターカーテン８０を支持できなくなってしまう。
【０００７】
本発明は、上記のような従来の問題に鑑みなされたものであって、シャッターカーテンに風による負圧等が作用した場合、シャッターカーテンの変位に追従してシャッター枠のシャッター縦枠が変形しても、シャッター枠からシャッターカーテンが外れるのを防止でき、シャッター付き窓としての機能を維持することができるシャッター付き窓を提供することを目的とする。
【課題を解決するための手段】
【０００８】
本発明は、上記のような課題を解決するために、以下のような手段を採用している。
すなわち、本発明のシャッター付き窓は、建物の開口部に設けられた上枠、下枠および左右の縦枠を方形状に枠組みした窓枠と、前記窓枠の室外側に取り付けられるシャッター上枠、シャッター下枠および左右のシャッター縦枠を方形状に枠組みしたシャッター枠と、
前記シャッター枠の上部にシャッターボックスを設け、該シャッターボックスの内部に回転自在に設けられたドラムに連結されると共に、前記シャッター縦枠に支持されて前記シャッター枠に昇降自在なシャッターカーテンとを備えたシャッター付き窓において、前記シャッター縦枠は、前記窓枠の縦枠に取り付けられる取付板、及び、前記取付板の両端に一体に設けられた一対の側板を有し、一方側が開口された略コ字状のシャッター縦枠本体と、前記シャッター縦枠本体の一方側の開口部を塞ぐように該シャッター縦枠本体に取り付けられ、前記シャッターカーテンの昇降を支持するガイドレールと、を備え、前記ガイドレールは、前記シャッター縦枠本体の前記一方の側板と嵌合され、前記他方の側板にねじが螺合されて締め付けられて、前記シャッター縦枠本体の両側板の前端部に固定され、
前記シャッター縦枠本体は、前記取付板が前記開口側から室内側に向かって螺合されるねじにより前記窓枠の縦枠に取り付けられており、前記窓枠の縦枠に取り付けられた前記シャッター縦枠本体の前記一対の側板間の前記開口側には、当該一対の側板間に架け渡されて前記一対の側板を連結することにより前記シャッター縦枠本体の変形を規制する補強部材が取り付けられていることを特徴とする。
【０００９】
本発明によるシャッター付き窓によれば、シャッターカーテンに風による負圧等が作用してシャッターカーテンが変形した場合に、シャッターカーテンの変形に追従してシャッター枠全体が一体となって変形することになるので、シャッター枠のシャッター縦枠本体からガイドレールが外れるようなことはなく、シャッターカーテンがシャッター枠のガイドレールから外れるようなことはなく、シャッター付き窓としての機能を維持し続けることができる。
【００１１】
請求項２に係る発明は、請求項１に記載のシャッター付き窓であって、前記補強部材は、その一端部に設けられた嵌合片が前記シャッター縦枠本体の一方の側板に設けられた嵌合部に嵌合され、他端部に設けられた取付片が前記シャッター縦枠本体の他方の側板に取付手段により取り付けられていることを特徴とする。
【００１２】
本発明によるシャッター付き窓によれば、シャッター枠のシャッター縦枠本体の一方の側板と他方の側板との間は補強部材によって連結されることになるので、シャッターカーテンの変形に追従してシャッター枠全体が一体となって変形することになる。従って、シャッター縦枠本体からガイドレールが外れるようなことはなく、シャッター付き窓としての機能を維持し続けることができる。
【００１３】
請求項３に係る発明は、請求項１に記載のシャッター付き窓であって、前記補強部材は、その両端部に設けられた取付片が前記シャッター縦枠本体の一方の側板及び他方の側板にそれぞれ取付手段により取り付けられていることを特徴とする。
【００１４】
本発明によるシャッター付き窓によれば、シャッター枠のシャッター縦枠本体の一方の側板と他方の側板との間は補強部材によって連結されることになるので、シャッターカーテンの変形に追従してシャッター枠全体が一体となって変形することになる。従って、シャッター縦枠本体からガイドレールが外れるようなことはないので、シャッター付き窓としての機能を維持し続けることができる。
【００１５】
請求項４に係る発明は、請求項２又は３に記載のシャッター付き窓であって、前記取付手段は、ねじ、リベット、又は圧入であることを特徴とする。
【発明の効果】
【００１６】
以上、説明したように、本発明のシャッター付き窓によれば、シャッターカーテンに風による負圧等が作用してシャッターカーテンが変形した場合に、シャッターカーテンの変形に追従してシャッター枠全体を一体に変形させることができる。従って、ガイドレールとシャッター縦枠本体との嵌合部が外れるようなことはないので、ガイドレールからシャッターカーテンが外れるようなことはなく、シャッター付き窓としての機能を維持し続けることができる。
【発明を実施するための最良の形態】
【００１７】
以下、図面に示す本発明の実施の形態について説明する。
図１〜図４には、本発明によるシャッター付き窓の一実施の形態が示されていて、図１はシャッター付き窓の縦断面図、図２はシャッター付き窓の横断面図、図３は図２の要部を示す部分拡大図、図４は補強部材とシャッター縦枠本体との関係を示す斜視図である。
なお、以下の説明においては、シャッター付き窓の正面前方（図１の左方、図２、図３の上方）を前、その反対側を後として説明するものとする。
【００１８】
すなわち、このシャッター付き窓１は、集合住宅、オフィスビル等の開口部に適用可能なものであって、図１に示すように、開口部に設けられる上枠１９ａ、下枠１９ｂ及び左右の縦枠１９ｃを方形状に枠組みしてなる窓枠１９と、窓枠１９の室外側に取り付けられるシャッター枠２と、シャッター枠２の上部に設けられるシャッターボックス３１と、シャッターボックス３１の内部に回転自在に設けられるドラム３７と、ドラム３７に連結されるとともに、シャッター縦枠３によって昇降自在に支持されるシャッターカーテン３８と、シャッター縦枠３の変形を規制する補強部材４２とを備えている。
【００１９】
シャッターボックス３１は、図１に示すように、シャッター枠２のシャッター上枠１７の上部に設けられるものであって、点検板３２と左右の側板３５とから構成され、点検板３２の先端と左右の側板３５の先端との間に、シャッターカーテン３８をシャッターボックス３１内から出し入れするための開口部３６が設けられている。
【００２０】
シャッターボックス３１の内部には、ドラム３７が回転自在に設けられ、このドラム３７にシャッターカーテン３８の上端部が連結され、ドラム３７を正逆回転させることにより、ドラム３７からシャッターカーテン３８が繰り出され、又はドラム３７にシャッターカーテン３８が巻き取られる。
【００２１】
シャッターカーテン３８は、図１に示すように、帯板状の複数のスラット３９を連結して構成したものであって、上端部のスラット３９がドラム３７に連結され、下端部のスラット３９の下端部にシャッター枠２のシャッター下枠１８に当接する座板４０が設けられ、幅方向の両縁部がシャッター枠２の左右一対のシャッター縦枠３、３の左右一対のガイドレール２１、２１の内部に開口部２７、２７から挿入されている。
【００２２】
図２に示すように、シャッターカーテン３８の幅方向の両縁部には、先端部が屈曲された係止爪４１、４１が一体に設けられ、この係止爪４１、４１を後述する左右一対のガイドレール２１、２１の内部の係止片２２、２２に係止させることにより、シャッターカーテン３８が左右一対のガイドレール２１、２１から抜け出るのが防止されている。
【００２３】
シャッター枠２は、左右一対のシャッター縦枠３、３と、該シャッター縦枠３、３の上端間に設けられるシャッター上枠１７と、該シャッター縦枠３、３の下端部間に設けられるシャッター下枠１８とからなる枠状をなすものであって、窓枠１９に取付手段であるねじ２０により固定されている。
【００２４】
前記左右一対のシャッター縦枠３は、図３に示すように、窓枠１９の縦枠１９ｃにねじ２０により取り付けられるシャッター縦枠本体４と、シャッター縦枠本体４に取り付けられるガイドレール２１と、シャッター縦枠３の変形を規制する補強部材４２とから構成され、ガイドレール２１によってシャッターカーテン３８が昇降自在に支持されている。
【００２５】
シャッター縦枠本体４は、上下方向に延びる帯状の取付板５と、取付板５の幅方向の一端に一端が連結されて、取付板５から外方に略直角に延出する第１側板７と、取付板５の幅方向の他端から外方に略直角に延出する第２側板１０とから構成される略コ字状をなすものであって、第１側板７及び第２側板１０の前端（図２、図３における上端）との間には、シャッター縦枠本体４内外を連通する開口部１６が形成されている。
【００２６】
シャッター縦枠本体４の取付板５には、長手方向に沿って所定の間隔ごとに複数箇所にねじ挿通用の孔６が設けられ、シャッター縦枠本体４を窓枠１９の縦枠１９ｃに取り付ける際に、シャッター縦枠本体４の開口部１６から取付板５の各ねじ挿通用の孔６内にねじ２０を挿通させ、各ねじ２０を窓枠１９の縦枠１９ｃに螺合させて締め付けることにより、シャッター縦枠本体４の取付板５が窓枠１９の縦枠１９ｃに固定される。
【００２７】
シャッター縦枠本体４の第１側板７は、平板状に形成されるものであって、前端部が第２側板１０の方向に略直角に屈曲され、この屈曲された前端部が後述するガイドレール２１の嵌合部３０に嵌合される嵌合片８に形成されている。
【００２８】
第１側板７の内面（第２側板１０に対向する面の前端近傍）には、前側（図３中上側）が開口するように略Ｌ形板状の嵌合部９が一体に設けられ、この嵌合部９内に後述する補強部材４２の一端部の嵌合片４３が嵌合されている。嵌合部９は、第１側板７の全長に亘って設けられている。
【００２９】
シャッター縦枠本体４の他方の側板１０は、クランク板状に形成されており、前端が第１側板７の前端よりも内方（取付板５の方向）に位置するように、寸法が設定されている。第２側板１０の前端部には、長手方向に沿って所定の間隔ごとにねじ孔１１が設けられ、各ねじ孔１１内に後述するガイドレール２１を固定するためのねじ１３が螺合される。
【００３０】
第２側板１０の他端部のねじ孔１１よりも取付板５寄りの部分には、長手方向に沿って所定の間隔ごとにリベット挿通用孔１４が設けられ、各リベット挿通用孔１４内に後述する補強部材４２の取付片である他端部の屈曲部４４を側板１０に固定するための取付手段であるリベット１５が固着される。
【００３１】
補強部材４２は、両端部が後方（図３の下方）に屈曲された板状をなすものであって、シャッター縦枠本体４の第１側板７と第２側板１０との間に架設可能な幅に形成されている。補強部材４２の一端部の屈曲部４３は、シャッター縦枠本体４の第１側板７の嵌合部９内に嵌合される嵌合片４３に構成され、他端部の屈曲部４４は、第２側板１０にリベット１５により固定される取付片４４に構成される。
【００３２】
補強部材４２を取り付ける際には、補強部材４２を開口部１６からシャッター縦枠本体４の内部に挿入し、一端部の嵌合片４３を第１側板７の嵌合部９内に嵌合させ、他端部の屈曲部４４を第２側板１０の内面側に密着させ、屈曲部４４のリベット挿通用の孔４５と第２側板１０のリベット挿通用の孔１４とを合致させ、両リベット挿通用の孔４５、１４間にリベット１５を挿通させ、リベット１５の両端部をかしめ付けることにより、補強部材４２の他端部を第２側板１０に固定する。なお、図中符号１２で示す部材は、補強部材４２の他端部の第２側板１０に対する位置決めを行う際に、補強部材４２の屈曲部４４の先端を当接させるための係止片である。
【００３３】
なお、本実施の形態においては、シャッター縦枠本体４の第１側板７と第２側板１０との間に補強部材４２が取付板５に対して斜めに配置されるように、第１側板７の嵌合部９の位置、第２側板１０のリベット挿通用の孔の位置１４を設定したが、補強部材４２が取付板５に対して平行に配置されるように、第１側板７の嵌合部９の位置、第２側板１０のリベット挿通用の孔１４の位置を設定してもよい。
【００３４】
また、本実施の形態においては、補強部材４２の一端部の嵌合片４３をシャッター縦枠本体４の第１側板７の嵌合部９に嵌合させ、補強部材４２の他端部の屈曲部４４をシャッター縦枠本体４の第２側板１０にリベット１５によりかしめ付けることにより、シャッター縦枠本体４の両側板７、１０間に補強部材４２を固定したが、補強部材４２の両端部をシャッター縦枠本体４の両側板７、１０間にリベットによりかしめ付けることにより、補強部材４２を両側板７、１０間に取り付けてもよいし、シャッター縦枠本体４の両側板７、１０の内面に被圧入部を設け、この被圧入部内に補強部材４２の両端部を圧入させることにより、両側板７、１０間に補強部材４２を固定してもよい。要は、シャッター縦枠本体４の両側板７、１０間に補強部材４２の両端部を固定できる方法であればよいものである。
【００３５】
ガイドレール２１は、図２及び図３に示すように、表板２３と、裏板２４と、表板２３と裏板２４の一方の端部に形成されるモヘア保持部２５と、表板２３と裏板２４の他方の端部間に連結される側板２６とからなり、表板２３と裏板２４の一方の端部間にシャッターカーテン３８の幅方向の縁部をガイドレール２１内に挿入させるための開口部２７が設けられている。
【００３６】
ガイドレール２１の裏板２４の外面側の略中央部には、裏板２４と直交するように延出する取付板２８が一体に設けられるとともに、裏板２４の外面側の側板２６に近接する部分には、ガイドレール２１の外側（図３では右側）が開口するように、取付板２８と所定の間隔をおいて略Ｌ形板状の嵌合部３０が一体に設けられている。また、取付板２８には長手方向に沿って複数箇所にねじ挿通用の孔２９が設けられている。
【００３７】
ガイドレール２１は、シャッター縦枠本体４の開口部１６に裏板２４の外面側を対向させ、裏板２４の係合部３０にシャッター縦枠本体４の第１側板７の嵌合片８を嵌合させ、取付板２８を第２側板１０の他端部外面側に密着させ、この状態で取付板２８の各ねじ挿通用の孔２９内にねじ１３を挿通させ、そのねじ１３を第２側板１０の各ねじ孔１１に螺合させて締め付けることにより、シャッター縦枠本体４の両側板７、１０の前端部に固定される。
【００３８】
この場合、両側板７、１０の他端部間の開口部１６は、ガイドレール２１によって閉塞されることになるので、シャッター縦枠本体４を窓枠１９の縦枠１９ｃに固定しているねじ２０、及びシャッター縦枠本体４の両側板７、１０間に設けられている補強部材４２が外から見えるようなことはなく、意匠性を高めることができるとともに、ねじ２０の固定部に雨水等が作用するのを防止できる。
【００３９】
ガイドレール２１の表板２３の内面側には、表板２３と直交するように内方に延出するとともに、先端部が側板２６の方向に略直角に屈曲された係止片２２が一体に設けられ、この係止片２２にシャッターカーテン３８の幅方向の縁部に取り付けられる係止爪４１を係止させることにより、シャッターカーテン３８がガイドレール２１の開口部２７から抜け出るのが防止される。
【００４０】
上記のように構成した本実施の形態によるシャッター付き窓１にあっては、シャッター縦枠本体４の第１側板７と第２側板１０との間に補強部材４２を設け、この補強部材４２を介して両側板７、１０間を連結しているので、シャッターカーテン３８に風による大きな負圧等が作用してシャッターカーテン３８が変形した場合に、シャッターカーテン３８の変形に追従してシャッター枠２の全体を建物の屋内方向へ変形させることができるので、ガイドレール２１の嵌合部３０からシャッター縦枠本体４の第１側板７の嵌合片８が外れるようなことはない。すなわち、シャッターカーテン３８に風による大きな負圧等が作用しても、シャッターカーテン３８がガイドレール２１から外れるようなことはなく、シャッター付き窓１としての機能を維持し続けることができる。
【図面の簡単な説明】
【００４１】
【図１】本発明によるシャッター付き窓の一実施の形態を示した縦断面図である。
【図２】本発明によるシャッター付き窓の一実施の形態を示した横断面図である。
【図３】図２の部分拡大図である。
【図４】補強部材とシャッター縦枠本体との関係を示した斜視図である。
【図５】従来のシャッター付き窓の一例を示した部分拡大横断面図である。
【符号の説明】
【００４２】
１、５１  シャッター付き窓              ２、５２  シャッター枠
３、５３  シャッター縦枠                ４、５４  シャッター縦枠本体
５、５５  取付板                        ６    ねじ挿通用の孔
７、５６  第１側板                      ８    嵌合片
９    嵌合部                            １０、５７  第２側板
１１  ねじ孔                            １２  係止片
１３、２０、６７、７０  ねじ            １４  リベット挿通用の孔
１５  リベット                          １６、２７、５８、６３  開口部
１７  シャッター上枠                    １８  シャッター下枠
１９、６９  窓枠                        １９ａ  上枠
１９ｂ  下枠                            １９ｃ  縦枠
２１、６０  ガイドレール                ２２  係止片
２３、６１  表板                        ２４、６２  裏板
２５  モヘア保持部                      ２６、６４  側板
２８、６６  取付板                      ２９  ねじ挿通用の孔
３０、６５  嵌合部                      ３１  シャッターボックス
３２  点検板                            ３５  側板
３６  開口部                            ３７  ドラム
３８、８０  シャッターカーテン          ３９  スラット
４０  座板                              ４１  係止爪
４２  補強部材                          ４３  屈曲部（嵌合片）
４４  屈曲部（取付片）                  ４５  リベット挿通用の孔
【図１】
0004704159.tif 000002
【図２】
0004704159.tif 000003
【図３】
0004704159.tif 000004
【図４】
0004704159.tif 000005
【図５】
0004704159.tif 000006